(57)【要約】【課題】保護部材を経由して撮像部に到達する放電を防ぐ。【解決手段】下部ユニットとの間を開放可能に固定された上部ユニットと、上記上部ユニットに設けられ、原稿を撮像可能な撮像部と、上記撮像部の焦点距離を確保し、かつ該撮像部を保護する為の読取ガラスと、上記読取ガラス上に貼られた色基準部と、該色基準部を覆う様に配置された金属製の保護部材と、上記撮像部を、上記色基準部を撮像する色基準撮像位置と、原稿を撮像する原稿撮像位置との夫々に移動させる撮像位置制御部と、を備え、上記撮像位置制御部は、上記上部ユニットが開状態となったときに、上記保護部材の端部と上記撮像部の距離がより離れる位置である上記色基準撮像位置もしくは上記原稿撮像位置のいずれか一方に向けて上記撮像部を移動することを特徴とする。【選択図】図３
2019216318.tif 000002
【特許請求の範囲】
【請求項１】
下部ユニットとの間を開放可能に固定された上部ユニットと、
上記上部ユニットに設けられ、原稿を撮像可能な撮像部と、
上記撮像部の焦点距離を確保し、かつ該撮像部を保護する為の読取ガラスと、
上記読取ガラス上に貼られた色基準部と、該色基準部を覆う様に配置された金属製の保護部材と、
上記撮像部を、上記色基準部を撮像する色基準撮像位置と、原稿を撮像する原稿撮像位置との夫々に移動させる撮像位置制御部と、
を備え、
上記撮像位置制御部は、上記上部ユニットが開状態となったときに、上記保護部材の端部と上記撮像部の距離がより離れる位置である上記色基準撮像位置もしくは上記原稿撮像位置のいずれか一方に向けて上記撮像部を移動することを特徴とする画像読取装置。
【請求項２】
上記撮像部を格納するケース部と、
原稿を搬送する原稿搬送部および搬送された原稿が通過する搬送路を備え、
上記ケース部における上記原稿搬送部の搬送方向の上流側に上記保護部材の端部を配置し、
上記撮像位置制御部は、上記上部ユニットが開状態となったときに、上記保護部材の端部と上記撮像部の距離がより離れる位置である下流側に設けられた上記色基準撮像位置もしくは上記原稿撮像位置のいずれか一方に向けて上記撮像部を移動することを特徴とする請求項１記載の画像読取装置。
【請求項３】
上記撮像部を格納するケース部と、
原稿を搬送する原稿搬送部および搬送された原稿が通過する搬送路を備え、
上記ケース部における上記原稿搬送部の搬送方向の下流側に上記保護部材の端部を配置し、
上記撮像位置制御部は、上記上部ユニットが開状態となったときに、上記保護部材の端部と上記撮像部の距離がより離れる位置である上流側に設けられた上記色基準撮像位置もしくは上記原稿撮像位置のいずれか一方に向けて上記撮像部を移動することを特徴とする請求項１記載の画像読取装置。
【請求項４】
上記撮像部を格納するケース部と、
原稿を搬送する原稿搬送部および搬送された原稿が通過する搬送路を備え、
上記ケース部における上記原稿搬送部の搬送方向とは異なる向きに上記保護部材の端部を配置し、
上記撮像位置制御部は、上記上部ユニットが開状態となったときに、上記保護部材の端部と上記撮像部の距離がより離れる位置である上記色基準撮像位置もしくは上記原稿撮像位置のいずれか一方に向けて上記撮像部を移動することを特徴とする請求項１記載の画像読取装置。
【請求項５】
上記撮像部はケーブルを接続可能なコネクタを備え、
上記撮像位置制御部は、上記撮像部が電源遮断状態となったときに、上記コネクタがより露出される位置である上記色基準撮像位置もしくは上記原稿撮像位置のいずれか一方に向けて上記撮像部を移動することを特徴とする請求項１記載の画像読取装置。
【請求項６】
上記撮像部はケーブルを接続可能なコネクタを備え、
上記画像読取装置の電源に対して遮断要求があったときに、
上記撮像位置制御部は、上記コネクタがより露出される位置である上記色基準撮像位置もしくは上記原稿撮像位置のいずれか一方に向けて上記撮像部を移動し、
その後、上記画像読取装置の電源を遮断することを特徴とする請求項１記載の画像読取装置。
【請求項７】
上記画像読取装置は、
上記原稿を積載可能であり、昇降可能なシート積載台と、
電源スイッチおよび上記撮像部による撮像に関する表示を行う表示部を有する操作パネルと、
を備え、
上記電源スイッチの押下によって上記画像読取装置の電源の遮断要求があった時点で、上記シート積載台の下降を開始しつつ上記表示部を電源ＯＦＦに対応した表示に切り替えることを特徴とする請求項６に記載の画像読取装置。
【発明の詳細な説明】
【技術分野】
【０００１】
本発明は、原稿画像を読取可能な画像読取装置に関する。
【背景技術】
【０００２】
原稿を読取可能な画像読取装置においては、定期的に画像読取部を拭いて、紙粉などを取り除くメンテナンス作業を実施することがある。その場合、操作者が帯電していると画像読取部に対して電荷が放電され、場合によっては画像読取装置の半導体が損傷を受けてしまい、以降正常な画像を得られないことがある。
【先行技術文献】
【特許文献】
【０００３】
【特許文献１】特許第４６３７８０７号公報
【発明の概要】
【発明が解決しようとする課題】
【０００４】
これに対し、特許文献１においては、カード搬送路内を通過するカードを除電する為に、撮像面よりも搬送路側に突出する除電部材を設けていた。この場合、除電を目的とした専用部材を追加するので、装置のコストアップを招くことになる。また、部材を追加する為のスペースが必要になる。
【課題を解決するための手段】
【０００５】
上記を鑑み、本発明に係る画像読取装置は、
下部ユニットとの間を開放可能に固定された上部ユニットと、
上記上部ユニットに設けられ、原稿を撮像可能な撮像部と、
上記撮像部の焦点距離を確保し、かつ該撮像部を保護する為の読取ガラスと、
上記読取ガラス上に貼られた色基準部と、該色基準部を覆う様に配置された金属製の保護部材と、
上記撮像部を、上記色基準部を撮像する色基準撮像位置と、原稿を撮像する原稿撮像位置との夫々に移動させる撮像位置制御部と、
を備え、
上記撮像位置制御部は、上記上部ユニットが開状態となったときに、上記保護部材の端部と上記撮像部の距離がより離れる位置である上記色基準撮像位置もしくは上記原稿撮像位置のいずれか一方に向けて上記撮像部を移動することを特徴とする。
【発明の効果】
【０００６】
本発明によれば、上部ユニットが開状態となったときに、保護部材と撮像部との空間距離が離れるようにすることで、メンテナンス時に操作者から保護部材を経由して撮像部に到達する放電を防ぐことができ、画像読取装置の保護を実現できる。
【図面の簡単な説明】
【０００７】
【図１】本発明の第１実施形態に係る画像読取装置の構成を概略的に示す模式図。
【図２】図１の画像読取装置の主要部の構成を概略的に示す模式図。
【図３】本発明の第１実施形態に係る画像読取部の構成を概略的に示す斜視図。
【図４】本発明の第１実施形態に係る画像読取部の構成を概略的に示す断面図。
【図５】本発明の第１実施形態に係る画像読取部の構成を概略的に示す他の断面図。
【図６】本発明の第１実施形態に係るＣＰＵの制御を示すフローチャート。
【図７】本発明の第２実施形態に係る画像読取部の構成を概略的に示す斜視図。
【図８】本発明の第２実施形態に係る画像読取部の構成を概略的に示す断面図。
【図９】本発明の第２実施形態に係るＣＰＵの制御を示すフローチャート。
【図１０】本発明の第３実施形態に係る画像読取部の構成を概略的に示す斜視図。
【図１１】本発明の第３実施形態に係る画像読取部の構成を概略的に示す断面図。
【図１２】本発明の第３実施形態に係るＣＰＵの制御を示すフローチャート。
【図１３】本発明の第４実施形態に係る画像読取部の構成を概略的に示す斜視図。
【図１４】本発明の第４実施形態に係る画像読取部の構成を概略的に示す断面図。
【図１５】本発明の第４実施形態に係る画像読取部の構成を概略的に示す斜視図。
【図１６】本発明の第４実施形態に係るＣＰＵの制御を示すフローチャート。
【図１７】本発明の第５実施形態に係る画像読取部の構成を概略的に示す斜視図。
【図１８】本発明の第５実施形態に係る画像読取部の構成を概略的に示す断面図。
【図１９】本発明の第５実施形態に係るＣＰＵの制御を示すフローチャート。
【図２０】本発明の第５実施形態に係る画像読取部の構成を概略的に示す斜視図。
【発明を実施するための形態】
【０００８】
〔第１の実施形態〕
図１は、本発明の第１の実施形態に係る画像読取装置の構成を概略的に示す部分断面図であり、図２は画像読取装置の主要部の構成を概略的に示す模式図である。
【０００９】
図１及び図２において、画像読取装置２００は、シート取込装置２０１を備える。シート積載台（原稿載置台）１にはシートが複数枚積載されており、シート積載台１は昇降可能に構成されている。シート積載台駆動モータ２は、シート積載台１を昇降させる。シート検知センサ３は、シート積載台１に積載されたシートがシート取込位置にあることを検知する。シート積載検知センサ１２はシート積載台１のシート積載面１ａにシートが積載されているのを検知する。
【００１０】
原稿ピックアップ部の一例としての給送ローラ６は、給送モータ８によって、シートを搬送方向下流側に給送する方向に回転するよう駆動されている。分離ローラ７は、シートを搬送方向上流側に押し戻す方向に回転する回転力を不図示のトルクリミッタ（スリップクラッチ）を介して分離モータ９から常時受けている。給送ローラ６と分離ローラ７との間にシートが１枚存在するときは、上記トルクリミッタが伝達する分離ローラ７がシートを上流側に押し戻す方向の回転力の上限値より、給送ローラ６によって下流側に送られるシートと分離ローラ７との間の摩擦力によってシートが下流側に給送される方向への回転力が上回り、分離ローラ７は給送ローラ６に追従して回転する（連れ回りする）。
【００１１】
一方、給送ローラ６と分離ローラ７との間にシートが複数枚存在するときは、分離ローラ７はシートを上流側に押し戻す方向の回転をローラ軸から受け、最も上位のシート以外が下流側に搬送されないようにする。
【００１２】
このように給送ローラ６がシートを下流側に給送する作用と、分離ローラ７のシートを下流側に搬送されないようにする作用とによって、シートが重なって給送ローラ６と分離ローラ７とのニップ部に送り込まれたとき、最も上のシートのみが下流側に給送され、それ以外のシートは下流側に搬送されないようにされることで、重なったシートが分離給送される。よって、給送ローラ６と分離ローラ７とは、一対の分離ローラ対４２（原稿分離部）を構成する。なお、本実施形態では、分離ローラ対４２を使用しているが、分離ローラ対４２の代わりに分離ローラと給送ローラのどちらか一方をベルトにした、分離ベルトローラ対を使用してもよい。また、分離ローラを分離パッドに置き換え、シートに当接することで下流側へ複数枚のシートが搬送されることを防ぐようにしてもよい。
【００１３】
搬送モータ１０は、原稿分離後のシートを画像読取位置から排出位置まで搬送するため、その他のローラ（原稿搬送部）を駆動する。また、搬送モータ１０は、シートの読み取りに最適な速度や、シートの解像度等の設定に応じてシートの搬送速度を変更できるよう各ローラを駆動する。画像読取部１４と１５により、原稿を１回搬送するだけで同時に表裏同時に原稿の情報を読み取る。
【００１４】
ニップ隙間調整モータ１１は、給送ローラ６と分離ローラ７との隙間、或いは分離ローラ７に対してシートを介して給送ローラ６が圧接する圧接力を調整する。これにより、シートの厚みに適合した隙間、或いは圧接力が調整され、シートを分離することができる。
【００１５】
レジストクラッチ１９は、搬送モータ１０の回転駆動力をレジストローラ１８（原稿搬送部）に伝達、又は当該伝達を遮断する。レジストローラ対１７、１８の回転を停止することにより、給送されるシートの先端をレジストローラ対１７、１８のニップ部に突き当てて、シートの斜行を補正する。
【００１６】
搬送ローラ対２０、２１、搬送ローラ対２２、２３、及び図１に示すさらに下流側のローラ対は、シートを上部ユニット４４上の排紙スタッカーに搬送する。この上部ユニット４４は下部ユニット４８に対して上方向に開くことができる。上部ユニット４４を回動させて下部ユニット４８との間を開放可能とすることで、上部ユニット４４と下部ユニット４８との間に設けられた搬送路を開放可能である。
【００１７】
上部ユニット４４の開閉状態は、開閉検知部９０により検知可能である。開閉検知部９０はフォトインタラプタの光路をレバーなどの遮蔽物で遮断するかどうかで開閉状態を検知しても良いし、メカニカルなスイッチまたは磁石とホール素子を組み合わせることで開閉検知を実現しても良い。上ガイド板４０と下ガイド板４１との２つのガイド板は、分離ローラ対４２、レジストローラ対１７、１８、搬送ローラ対２０、２１、搬送ローラ対２２、２３、及び下流側のローラ対により搬送されるシートを案内する。
【００１８】
なお、開閉検知部９０はレジスト前センサ３２やレジスト後センサ３３を用いても良い。すなわち、シートの搬送を行っていない状態で、レジスト前センサ３２やレジスト後センサ３３の検出状態が変わった場合に、上部ユニット４４が開放されたことで検出状態が変わったと判断することが可能である。
【００１９】
レジスト前センサ３２は、レジストローラ対１７、１８の上流側に配設され、搬送されるシートを検知する。レジスト後センサ３３は、レジストローラ対１７、１８の下流側に配設され、搬送されるシートを検知する。
【００２０】
電子基板６０１にはＣＰＵ６０２が実装されており、前述の原稿搬送制御や画像の読取制御全般を管理している。また、このＣＰＵは上部ユニット４４の開閉状態を代表として画像読取装置の状態も検知可能である。
【００２１】
ここで、画像読取部１４および１５の内部構造について、図３および図４を用いて詳細を説明する。ここで、図３は画像読取部１４および１５の斜視図であり、図４は断面図を示す。
【００２２】
撮像部１００は、搬送される原稿の画像を取得するイメージセンサである。本実施形態ではＣＩＳ（Ｃｏｎｔａｃｔ  Ｉｍａｇｅ  Ｓｅｎｓｏｒ）を用いているが、ＣＣＤなどの他のイメージセンサであっても良い。読取ガラス１０１は、撮像部１００の上部に設けられており、撮像部１００の撮像位置から原稿までの焦点距離を確保するとともに、撮像部１００を保護する。
【００２３】
読取ガラス１０１上には、色基準部である色基準シート１０２が配置されており、撮像部１００の色の補正（シェーディング）をするときに撮像部１００が色基準シート１０２を読取ガラス１０１の下側から撮像する。
【００２４】
読取ガラス１０１上は、搬送される原稿が通過する為に、ガラス上を原稿が擦れることになる。その為、搬送される原稿により色基準シート１０２が摩耗することを避ける目的で、金属製の保護部材１０３を設けている。保護部材１０３としては、摩耗に耐性のある材料を選択すれば良い。本実施形態においては、金属製とすることで、摩耗への耐性を高めると共に導電性としている。さらに、保護部材１０３から搬送路の上流側に延出するように端部１０３ａが配置されている。この端部１０３ａは画像読取部１４，１５が配置される筐体フレームと接触し、アースできる構成になっている。
【００２５】
また、撮像位置制御部１０４を駆動することで、不図示のギアまたはカム構造により、撮像部１００が色基準シート１０２を撮像可能な色基準撮像位置（図４）と、搬送される原稿を撮像する原稿撮像位置（図５）とを移動可能である。移動する方向は、図４に示す矢印の方向に移動可能である。ここで、撮像位置制御部１０４が撮像部１００を移動制御するための機構は、本実施形態で記述した以外の機構で実現しても良い。
【００２６】
撮像部１００はケース部１０５に格納されている。ケース部１０５は概略直方体形状で、うち１面が開放された箱形状をしており、その開放された面に読取ガラス１０１が位置するように、読取ガラス１０１を保持するガラス保持体１０１ａが固定されている。読取ガラス１０１（およびガラス保持体１０１ａ）とケース部１０５は別部品である為、これらの部品を組み立てる際には、必ず継ぎ目（隙間）ができる。
【００２７】
ここで、仮に操作者が画像読取部１４または１５をクリーニングしようとして、読取ガラス１０１に布などを介して触る場合を考える。操作者が上部ユニット４４を持って上方向に上部ユニット４４を開放する。開放する際、上部ユニット４４と筐体下部２０２とで構成していた搬送路部分が開き、操作者が搬送路内を触ることができるようになることで、画像読取部１４または１５に直接触れることが可能となる。上部ユニット４４が開状態になっているときに、クリーニングをしようとする操作者が帯電している場合、読取ガラス１０１上にある保護部材１０３が金属である為、導電性があるので保護部材１０３に操作者から電荷が放電されることがある。そして、保護部材１０３に放電された電荷は端部１０３ａを経由して外部筐体のフレームへと移動する。
【００２８】
電荷が端部１０３ａを移動する過程で、ガラス保持体１０１とケース部１０５との間の継ぎ目と撮像部１００との間の空間距離が短いと、前述の電荷が撮像部１００に向かって放電してしまうことがある。その場合、例えば撮像部１００は半導体を含んで構成されている為、印加される電荷量によっては電気的に損傷を受け、撮像部１００の誤動作や最悪の場合破壊に至り、以降正常画像を得られない状態に陥ってしまう。特に撮像部１００は数Ｖという低電圧だけを蓄積可能なデバイスである為、電荷を印加されることによって誤動作や破壊状態になってしまうリスクが高い。
【００２９】
撮像部１００に電荷が印加されないようにするには、保護部材１０３の端部１０３ａに対向する位置における、ガラス保持体１０１ａとケース部１０５の間の継ぎ目と撮像部１００間の距離をより遠くするのが効果的である。これにより、撮像部１００に電荷が印加される経路を無くすことができる。
【００３０】
図６のフローチャートを用いて、撮像部１００に電荷が印加されないようにする為の本実施形態に係る撮像部１００の位置の制御について説明する。図６のフローチャートは、本実施例において前述のＣＰＵ６０２が実行する。また、ＣＰＵ６０２は撮像位置制御部１０４に対して指示をすることが可能である。
【００３１】
ステップＳ１００１において、開閉検知部９０によって上部ユニット４４が開状態になったことをＣＰＵ６０２が検知すると、ステップＳ１００２において、ＣＰＵ６０２は撮像位置制御部１０４に対して色基準シート１０２を撮像可能な位置と、搬送される原稿を撮像する位置のうち、撮像部１００と保護部材１０３の端部１０３ａとの距離が遠い方の位置に移動する様に指示を発行する。
【００３２】
本実施形態においては、図３中の矢印方向に原稿が搬送される。すなわち図３中の保護部材１０３側が搬送方向に対して上流側となる。端部１０３ａは保護部材１０３から搬送方向の上流側に延出している為、図５に示すように、下流側の位置、すなわち搬送される原稿を撮像する位置に向けて撮像部１００を移動させるように、撮像位置制御部１０４に対して指示する。
【００３３】
また、開閉検知部９０を上部ユニット４４の回動の先端側に配置すれば、上部ユニットの開状態を検知するタイミングが早くなる。その場合は、前述のＣＰＵ６０２が撮像位置制御部１０４に対して移動指示を発行するタイミングが早くなり、より早く撮像部１００を安全な位置に移動できる。
【００３４】
一例として、本実施形態においては、上部ユニット４４に設けられた画像読取部１４よりも上部ユニット４４における先端側に配置しており、この構成によれば、開閉検知部９０によって上部ユニット４４の開放を検知し、画像読取部１４または画像読取部１５の撮像部１００を移動させる際に、操作者が画像読取部に触れる前に撮像部１００の移動指示を行うことができ、撮像部１００に対する放電をより確実に低減することができる。
【００３５】
以上説明したように制御することにより、操作者から放電された電荷が撮像部１００に印加されることを抑制し、撮像部１００が誤動作や破壊状態に至ることを抑制した画像読取装置を提供することができる。
【００３６】
なお、本実施形態においては、画像読取部１４および１５における撮像部１００が移動可能な構成を示したが、いずれか一方の画像読取部のみが本実施形態で説明したような移動機構を有するように構成しても良い。
【００３７】
〔第２の実施形態〕
図７および図８を用いて本実施形態の詳細について述べる。画像読取装置の構成は第１の実施形態と同様である。図７は画像読取部１４および１５の斜視図、図８は画像読取部１４および１５の内部構造を示した断面図である。
【００３８】
撮像部３００、読取ガラス３０１、色基準シート３０２、撮像位置制御部３０４およびケース部３０５については、第１の実施形態と同様に配置されている。第１の実施形態との相違点は、保護部材３０３から搬送路の下流側に延出するように端部３０３ａが配置されている点である。
【００３９】
ここで、第１の実施形態と同様に操作者が画像読取部１４または１５をクリーニングしようとして、読取ガラス３０１に布などを介して触る場合を考える。第１の実施形態と同様に、撮像部３００に電荷が印加されないようにする為の撮像部３００の位置の制御について、図９のフローチャートを用いて説明をする。図９のフローチャートは、第１の実施形態同様にＣＰＵ６０２が実行する。また、ＣＰＵ６０２は撮像位置制御部３０４に対して指示をすることが可能である。
【００４０】
ステップＳ２００１において、開閉検知部９０によって上部ユニット４４が開状態になったことをＣＰＵ６０２が検知すると、ステップＳ２００２において、ＣＰＵ６０２は撮像位置制御部３０４に対して色基準シート３０２を撮像可能な位置と、搬送される原稿を撮像する位置のうち、撮像部３００と保護部材３０３の端部３０３ａとの距離が遠い方の位置に移動する様に指示を発行する。
【００４１】
本実施形態においては、図７中の矢印方向に原稿が搬送される。すなわち図７中の保護部材３０３側が搬送方向に対して上流側となる。端部３０３ａは保護部材３０３から搬送方向の下流側に延出している為、図８に示すように、上流側の位置、すなわち色基準シート３０２を撮像可能な位置に撮像部３００を移動させるように、撮像位置制御部３０４に対して指示する。
【００４２】
以上説明したように制御することにより、操作者から放電された電荷が撮像部３００に印加されることを抑制し、撮像部３００が誤動作や破壊状態に至ることを抑制した画像読取装置を提供することができる。
【００４３】
〔第３の実施形態〕
図１０および図１１を用いて本実施形態の詳細について述べる。画像読取装置の構成は第１の実施形態と同様である。図１０は画像読取部１４および１５の斜視図、図１１は画像読取部１４および１５の内部構造を示した断面図である。
【００４４】
撮像部４００、読取ガラス４０１、色基準シート４０２、撮像位置制御部４０４およびケース部４０５については、第１の実施形態と同様である。第１の実施形態との相違点は、保護部材４０３から搬送方向とは異なる方向に端部４０３ａが配置されている点である。本実施形態においては、搬送方向に対して垂直方向に端部４０３ａが延出している。
【００４５】
ここで、第１の実施形態と同様に、操作者が画像読取部１４または１５をクリーニングしようとして、読取ガラス４０１に布などを介して触る場合を考える。第１の実施形態と同様に、撮像部４００に電荷が印加されないようにする為の撮像部４００の制御について、図１２のフローチャートを用いて説明をする。図１２のフローチャートは、第１の実施形態同様にＣＰＵ６０２が実行する。また、ＣＰＵ６０２は撮像位置制御部４０４に対して指示をすることが可能である。
【００４６】
ステップＳ３００１において、開閉検知部９０によって上部ユニット４４が開状態になったことをＣＰＵ６０２が検知すると、ステップＳ３００２において、ＣＰＵ６０２は撮像位置制御部４０４に対して色基準シート４０２を撮像可能な位置と、搬送される原稿を撮像する位置のうち、撮像部４００と保護部材４０３の端部４０３ａとの距離が遠い方の位置に移動する様に指示を発行する。
【００４７】
本実施形態においては、図１０中の矢印方向に原稿が搬送される。すなわち図１０中の保護部材４０３側が搬送方向に対して上流側となる。端部４０３ａは保護部材４０３の幅方向の側部において搬送方向の上流側寄りに延出している為、図１０における下流側の位置、すなわち搬送される原稿を撮像する位置に撮像部４００を移動させるように、撮像位置制御部４０４に対して指示する。
【００４８】
以上説明したように制御することにより、操作者から放電された電荷が撮像部４００に印加されることを抑制し、撮像部４００が誤動作や破壊状態に至ることを抑制した画像読取装置を提供することができる。
【００４９】
〔第４の実施形態〕
図１３および図１４を用いて本実施形態の詳細について述べる。画像読取装置の構成は第１の実施形態と同様である。図１３は画像読取部１４および１５の斜視図、図１４は画像読取部１４および１５の内部構造を示した断面図である。
【００５０】
撮像部５００、読取ガラス５０１、色基準シート５０２、保護部材５０３、端部５０３ａ、撮像位置制御部５０４およびケース部５０５については、第１の実施形態と同様である。
【００５１】
図１４は画像読取部１４および１５の横断面図であって、ケーブル５０６は、一方は図１中の電子基板６０１に接続されており、他方はコネクタ５０７と接続されている。画像読取装置の組立工程や、故障によるケーブル５０６の交換作業を考慮した場合、ケーブル５０６をコネクタ５０７に対して接続する際に、ケース部５０５とコネクタ５０７が接近していると操作者の指がケース部５０５に接近してしまい、ケーブル５０６をコネクタ５０７に接続しづらく、作業性が悪い状態になる。作業性を向上させる為には、ケース部５０５とコネクタ５０７を遠ざけることが好ましい。
【００５２】
ここで、図１５は画像読取部１４および１５のコネクタ５０７側の斜視図である。図１５中の囲み線部の様に、ケース部５０５とコネクタ５０７が接近しているとケース部５０５とコネクタ５０７との間に操作者の指が入りづらく、作業性が悪くなる。
【００５３】
例えば、画像読取装置が休止（スリープ）状態になったときに、画像読取部１４および１５の電源を遮断するケースを考える。この場合は、休止状態のままで操作者がケーブル５０６の交換が可能となる。その際に、ケース部５０５とコネクタ５０７との間の距離が広がり、コネクタ５０７がより露出されるように撮像部５００を移動しておくことによって、休止状態におけるケーブル５０６交換の作業性を向上できる。
【００５４】
図１６に、本実施形態においてＣＰＵ６０２が実行するフローチャートを示す。ステップＳ４００１において、画像読取装置が休止状態になり、画像読取部１４および１５の電源が遮断されて電源遮断状態になると、ステップＳ４００２において、ＣＰＵ６０２は撮像位置制御部５０４に対して色基準シート５０２を撮像可能な位置と、搬送される原稿を撮像する位置のうち、ケース部５０５とコネクタ５０７の距離が遠い方の位置に移動する様に指示を発行する。
【００５５】
本実施形態では、図１４に示すように、撮像部５００の下部にコネクタ５０７が設けられており、搬送方向におけるケーブル５０６が引き出される側のケース部５０５が撮像部５００の下部に回り込むように形成されている。この場合、コネクタ５０７が搬送方向上流側（図１４における左側）の位置に移動した状態だと、撮像部５００の下部に回り込むように形成されたケース部５０５とコネクタ５０７との距離が短くなり、操作者による作業性が悪くなる。従って、搬送方向における下流側（図１４における右側）に撮像部５００を移動させることによって、コネクタ５０７とケース部５０５との距離を広げ、操作者による作業性を向上することができる。
【００５６】
以上説明したように制御することにより、操作者がケーブル５０６をコネクタ５０７に挿抜する際に、作業効率の良い画像読取装置を提供することができる。なお、本実施形態においては、画像読取部１４および１５の両方を移動させるものに限られず、一方の画像読取部のみを移動させても良い。例えば作業性の悪い方の画像読取部に関してのみ移動させても良い。
【００５７】
〔第５の実施形態〕
図１７および図１８を用いて本発明の実施の形態の詳細について述べる。画像読取装置の構成は第１の実施形態と同様である。図１７は画像読取部１４および１５の斜視図、図１８は画像読取部１４および１５の内部構造を示した断面図である。
【００５８】
撮像部７００、読取ガラス７０１、色基準シート７０２、保護部材７０３、端部７０３ａ、撮像位置制御部７０４およびケース部７０５については、第１の実施形態と同様である。
【００５９】
図１８において、ケーブル７０６は、一方は図１中の電子基板６０１に接続されており、他方はコネクタ７０７と接続可能である。画像読取装置の組立工程や、故障によるケーブル７０７の交換作業を考慮した場合、ケーブル７０６をコネクタ７０７に対して接続する際に、ケース部７０５とコネクタ７０７が接近していると操作者の指がケース部７０５に接近してしまい、ケーブル７０６をコネクタ７０７に接続しづらく、作業性が悪い状態になる。作業性を向上させる為には、ケース部７０５とコネクタ７０７を遠ざけるのが良い。
【００６０】
例えば、画像読取装置が電源遮断要求を受けて、画像読取装置全体の電源を遮断するケースを考える。この場合は、撮像位置制御部７０４がケース部７０５とコネクタ７０７が遠ざかる様に制御した後に、画像読取装置の電源を遮断する。画像読取装置の電源が遮断した後も、ケース部７０５とコネクタ７０７の位置関係は保たれたままの状態となる。
【００６１】
図１９に、本実施形態においてＣＰＵ６０２が実行する制御のフローチャートを示す。画像読取装置の電源遮断要求を受け取ると、ＣＰＵ６０２は撮像位置制御部７０４に対して色基準シート７０２を撮像可能な位置と、搬送される原稿を撮像する位置のうち、ケース部７０５とコネクタ７０７の距離が遠い方の位置に移動する様に指示を発行する。撮像部７００の移動が完了した後、画像読取装置の電源を遮断する。
【００６２】
以上説明したように制御することにより、操作者がケーブル７０６とコネクタ７０７を接続する際に、作業効率の良い画像読取装置を提供することができる。
【００６３】
〔第６の実施形態〕
以下に、本発明の第６の実施形態に係る画像読取装置について説明する。本実施形態における画像読取装置の構成としては第１の実施形態とその多くが共通しており、以下では相違点についてのみ説明する。
【００６４】
本実施形態の画像読取装置は、図２０に示す通り、その正面側に操作パネル８００が設けられている。操作パネル８００の上部には、電源スイッチ８０１が配置され、その下部に画像読取制御に関する表示を行う表示部として表示画面８０２が配置されている。表示画面８０２の下部には、画像読取装置の各種設定や各制御入力を行う操作キー群８０３を有する。また、操作パネル８００の制御や操作入力を検出する操作制御部８０４を有しており、操作制御部８０４は、制御部４５の一部の機能によって構成されたり、操作基板上に配置されたＩＣなどによって構成される。
【００６５】
本実施形態の表示画面８０２はＬＣＤによって構成されており、画像読取装置の電源ＯＮ状態においては表示画面８０２のバックライトを点灯して、操作者に対する報知を行っている。なお、画像読取装置の動作中や操作キー群８０３への入力がなされていない場合には、表示画面８０２の表示を消したり、バックライトのみを消灯したりしても良い。
【００６６】
ここで、画像読取装置の電源は、電源スイッチ８０１を所定時間長押しする事で電源ＯＦＦにすることができる。長押しすることで電源がＯＦＦとなるように構成することによって誤操作による電源ＯＦＦを防ぐことができるが、操作者としては、電源スイッチ８０１を長押ししている時間が、所定時間を超えたことが分かりにくいことがあった。特に、本実施形態においてはシート積載台１が昇降可能に構成されており、電源ＯＦＦ状態には初期位置すなわち最下段に移動させておくことが好ましい。その場合、電源スイッチ８０１を長押ししている時間が所定時間を超えたとしても、そこからシート積載台１が最下段に向けて下降を始めるため、操作者にとっては電源がＯＦＦできていないと考えてしまいやすかった。
【００６７】
電源がＯＦＦできていないと操作者が考えた場合には、電源スイッチ８０１の長押しを継続したり、電源スイッチ８０１を強く押下することがあり、部品寿命が短くなってしまいやすかったり、そもそもの操作性が悪かった。
【００６８】
本実施形態においては、表示画面８０２を用いて、操作者に対して電源ＯＦＦ状態に遷移していることが分かりやすくするため、次に説明する制御を行う。すなわち、表示画面８０２のバックライトが点灯、消灯のいずれの状態であっても、電源スイッチ８０１もしくは操作キー群８０３が操作者によって押下されると、表示画面８０２のバックライトを点灯させるように操作制御部８０４によって制御する。
【００６９】
次に、電源ＯＦＦとなるための所定時間に亘って電源スイッチ８０１が長押しされたことを操作制御部８０４によって検出すると、シート積載台１の下降を始めると同時に表示画面８０２のバックライトを消灯するように制御する。
【００７０】
このように、電源スイッチ８０１が長押しされて、画像読取装置が電源ＯＦＦに遷移する状態になった時点で表示画面８０２を電源ＯＦＦに対応した表示に切り替えることによって、操作者としては電源ＯＦＦに遷移するための条件（所定時間に亘る電源スイッチ８０１の長押し）を満たしたことを把握しやすくなり、無闇に電源スイッチ８０１を長押しし過ぎるのを防ぐことができる。
【００７１】
なお、所定時間に亘って電源スイッチ８０１が長押しされたことを操作制御部８０４によって検出すると、シート積載台１の下降と表示画面８０２の消灯とを同時に行うように制御するものを例に挙げて説明したが、必ずしもこの限りではなく、例えばシート積載台１の下降よりも先に表示画面８０２の消灯を行っても良いし、シート積載台１の下降の後で表示画面８０２を消灯しても良い。
【００７２】
また、表示画面８０２を電源ＯＦＦに対応した表示に切り替える例として、バックライトを消灯する例について説明したが、バックライトの消灯と同時に表示画面８０２の表示内容を切り替えても良い。例えば、バックライトが消灯されると同時に、表示画面８０２における表示を消去するか、「Ｓｈｕｔｄｏｗｎ」などと表示するように制御しても良い。表示画面８０２の表示内容の切り替えの有無に関わらず、バックライトを消灯することによって操作者に対する報知を行うことが好ましい。
【００７３】
また、表示部として表示画面８０２を制御するものについて説明したが、表示部としてＬＥＤなどを有している場合には、所定時間に亘って電源スイッチ８０１が長押しされたことを操作制御部８０４によって検出すると、ＬＥＤを消灯することによって操作者に対する報知を行うようにしても良い。なお、表示画面８０２のバックライトの消灯とＬＥＤの消灯とを同時に行うように制御しても良い。
【００７４】
本発明は、以上説明した各実施形態に限られず、本発明の範囲を逸脱しない範囲で種々の変更が可能であり、各実施形態を組み合わせて適用することも可能である。
【符号の説明】
【００７５】
１  シート積載台
６  給送ローラ
７  分離ローラ
８  給送モータ
９  分離モータ
１０  搬送モータ
１４、１５  画像読取部
１７、１８  レジストローラ
２０、２１、２２、２３  搬送ローラ
３２  レジスト前センサ
３３  レジスト後センサ
４４  上部ユニット
４５  制御部
１００、３００、４００、５００、７００  撮像部
１０１、３０１、４０１、５０１、７０１  読取ガラス
１０２、３０２、４０２、５０２、７０２  色基準シート
１０３、３０３、４０３、５０３、７０３  保護部材
１０３ａ、３０３ａ、４０３ａ、５０３ａ、７０３ａ  端部
１０４、３０４、４０４、５０４、７０４  撮像位置制御部
１０５、３０５、４０５、５０５、７０５  ケース部
７０６  ケーブル
７０７  コネクタ
【図１】
2019216318.tif 000003
【図２】
2019216318.tif 000004
【図３】
2019216318.tif 000005
【図４】
2019216318.tif 000006
【図５】
2019216318.tif 000007
【図６】
2019216318.tif 000008
【図７】
2019216318.tif 000009
【図８】
2019216318.tif 000010
【図９】
2019216318.tif 000011
【図１０】
2019216318.tif 000012
【図１１】
2019216318.tif 000013
【図１２】
2019216318.tif 000014
【図１３】
2019216318.tif 000015
【図１４】
2019216318.tif 000016
【図１５】
2019216318.tif 000017
【図１６】
2019216318.tif 000018
【図１７】
2019216318.tif 000019
【図１８】
2019216318.tif 000020
【図１９】
2019216318.tif 000021
【図２０】
2019216318.tif 000022